(57)【要約】      （修正有）【課題】全体的に防水性を備え、耐用性が拡大し、アクセサリーの外観を修飾する場合でも、アクセサリーに機能性を提供する場合でも、使用寿命を大幅に延長できる防水性装飾リボンを提供する。【解決手段】防水性装飾リボンはベルト体１０、薄膜層２０、ＴＰＵ防水層３０を有する。ベルト体１０は少なくとも１個の修飾面１１を有し、薄膜層２０はベルト体の修飾面に組み合わされる。ＴＰＵ防水層３０は薄膜層外側に設置され、薄膜層及びベルト体を一体に包む。【選択図】図１
0003215877.tif 000002
【実用新案登録請求の範囲】
【請求項１】
防水性装飾リボンであって、ベルト体、薄膜層、熱可塑性ポリウレタン防水層を有し、
前記ベルト体は、少なくとも１個の修飾面を有し、
前記薄膜層は、前記ベルト体の修飾面に組み合わされ、
前記熱可塑性ポリウレタン防水層は、前記薄膜層外側に設置され、前記薄膜層及び前記ベルト体を一体に包み、防水機能を備えた装飾リボン構造を設けることを特徴とする防水性装飾リボン。
【請求項２】
前記薄膜層は、多層フィルムであることを特徴とする請求項１に記載の防水性装飾リボン。
【請求項３】
前記薄膜層は、発光フィルムであることを特徴とする請求項１に記載の防水性装飾リボン。
【請求項４】
前記薄膜層は、電気メッキフィルムであることを特徴とする請求項１に記載の防水性装飾リボン。
【請求項５】
前記薄膜層は、変色フィルムであることを特徴とする請求項１に記載の防水性装飾リボン。
【請求項６】
前記薄膜層は、粘性を備え、前記ベルト体の修飾面への貼付することを特徴とする請求項１に記載の防水性装飾リボン。
【請求項７】
前記薄膜層は、粘性を備えず、前記ベルト体の修飾面を包むことを特徴とする請求項１に記載の防水性装飾リボン。
【請求項８】
前記薄膜層は、前記ベルト体の両面を包むことを特徴とする請求項１に記載の防水性装飾リボン。
【請求項９】
前記熱可塑性ポリウレタン防水層は、ホットプレスで、前記薄膜層及び前記ベルト体を包むことを特徴とする請求項１に記載の防水性装飾リボン。
【請求項１０】
前記熱可塑性ポリウレタン防水層は、ラミネートで、前記薄膜層及び前記ベルト体を包むことを特徴とする請求項１に記載の防水性装飾リボン。
【考案の詳細な説明】
【技術分野】
【０００１】
本考案は防水性装飾リボンに関し、特に良好な防水性を有し、これにより覆われたベルト体は水に濡れることがない防水性装飾リボンに関する。
【背景技術】
【０００２】
ファッションアクセサリーの美観性及び機能性を高めるため、一般にファッションアクセサリー上には装飾リボンを有する。
【０００３】
例えば、靴の甲部分には両側に美化された装飾リボンが設置され、或いはハンドバッグの持ち手が装飾リボンで、さらにはバックパックのバック口を閉める束帯に装飾リボンが用いられる。
【０００４】
前述の装飾リボンは、アクセサリーの変化性を高め、美化、修飾の機能を達成する。
【０００５】
前述の装飾リボンは、皮革、合成皮革、ニットベルト等構造により製造されるが、その欠点は耐水性が劣るということである。
【０００６】
皮革、合成皮革により製造される装飾リボンは、水分に触れれば劣化し、亀裂を生じ、装飾リボンの見た目が悪くなり、或いは装飾リボンが機能性を失ってしまう。
【０００７】
ニットベルトにより構成されていれば、脱線や退色等の状況が発生しやすい。
【０００８】
また、従来の装飾リボンは、その変化性が大きくなく、外観も比較的単調である。
【０００９】
よって、前述の装飾リボンの問題をいかにして解決するかは、関連業者が積極的に開発に取り組む課題である。
【考案の概要】
【考案が解決しようとする課題】
【００１０】
前記先行技術には、耐水性が劣り、水に濡れれば見た目が悪くなり、或いは装飾リボンが機能性を失ってしまい、また脱線や退色等の状況が発生しやすく、さらに変化性が大きくなく、外観も比較的単調だという欠点がある。
【課題を解決するための手段】
【００１１】
本考案の第一の目的は、ベルト体外層を薄膜層で覆い、薄膜層外は熱可塑性ポリウレタン（以下、「ＴＰＵ」と略記する。）である。TPUは熱可塑性ポリウレタンエラストマーも含む。ＴＰＵ防水層で覆い、これにより良好な防水性を備え、使用寿命を延長できる防水性装飾リボンを提供することである。
【００１２】
本考案の第二の目的は、薄膜層は異なる材質により製造され、ベルト体がＴＰＵ防水層により覆われ成形された装飾リボン異なる変化外観を有し、より多くの消費者にアピールできる防水性装飾リボンを提供することである。
【００１３】
本考案による防水性装飾リボンはベルト体、薄膜層、ＴＰＵ防水層を有する。
【００１４】
該ベルト体は、少なくとも１個の修飾面を有し、該薄膜層は、該ベルト体の修飾面に組み合わされる。
【００１５】
該ＴＰＵ防水層は、該薄膜層外側に設置され、該薄膜層及び該ベルト体を一体に包む。
【００１６】
これにより、防水機能を備えた装飾リボン構造を形成する。
【考案の効果】
【００１７】
上述の構造を通して、本考案は以下の長所を獲得できる。
【００１８】
１．ＴＰＵ材質は次世代のエンジニアリングプラスチックで、リサイクル可能な環境保護型プラスチックエラストマーの一つで、優れた耐磨性能と耐引裂性能、及び抗加水分解と抗菌の効果を備え、耐寒性能と耐曲折性能でも優れ、不燃性と耐油性を備える環境保護型プラスチック材料で、しかも特殊包装上にも運用できるため、ＴＰＵ材質はさまざまな材質を包み覆うことができる。
【００１９】
２．該薄膜層がベルト体（単面或いは両面）を包んだ後、該ＴＰＵ防水層はベルト体上を包んで覆い、こうして全体的に防水性を備え、及び耐用性が拡大し、アクセサリーの外観を修飾する場合でも、アクセサリーに機能性を提供する場合でも、使用寿命を大幅に延長できる。
【００２０】
３．該薄膜層はさまざまなタイプ、材質が選択可能で、装飾リボンに発光、変色、耐衝撃性能、ＵＶカット機能等を持たせられ、本考案の美観、機能を向上させられる。
【図面の簡単な説明】
【００２１】
【図１】本考案の構造分解図である。
【図２】本考案の構造立体図である。
【図３】本考案の構造断面図である。
【図４】本考案の使用状態図（一）である。
【図５】本考案の使用状態図（二）である。
【考案を実施するための形態】
【実施例１】
【００２２】
図１〜図５に示す通り、本考案による防水性装飾リボンは、ベルト体１０、薄膜層２０、ＴＰＵ防水層３０により構成される。
【００２３】
ベルト体１０は、皮革、合成皮革、ニットベルト、石油化学材料等の材質により製造され、少なくとも１個の修飾面１１を有する。
【００２４】
図２、図４、図５に示す通り、修飾面１１は、異なる模様、色、織り目等を有し、これによりベルト体１０は、見た目の美しさを備える。
【００２５】
図１〜図５に示す通り、薄膜層２０は、ベルト体１０の修飾面１１に組み合わされる。
【００２６】
薄膜層２０は、粘性を備え、ベルト体１０の材質に貼付される。
【００２７】
或いは、薄膜層２０は粘性を備えないが、ベルト体１０の材質を包む。
【００２８】
また、薄膜層２０は、修飾面１１のみに組み合わされ、或いはベルト体１０両側を完全に包む。
【００２９】
薄膜層２０は、多層フィルム、発光フィルム、電気メッキフィルム或いは変色フィルムから選択して採用する。
【００３０】
前述の薄膜層２０は、ベルト体１０の美観効果を拡大し、及び局部機能を向上させる。
【００３１】
図１〜図５に示す通り、ＴＰＵ防水層３０は、薄膜層２０外側に設置され、薄膜層２０及びベルト体１０を一体に包む。
【００３２】
ＴＰＵ防水層３０は、ラミネート加工、ホットプレス加工等技術を通して、薄膜層２０を包んだベルト体１０を包む。
【００３３】
同様に、ＴＰＵ防水層３０は、単一側（材料を節減可能）を包み、或いはＴＰＵ防水層３０は、両側を包む（好ましい防水性及び耐磨性を備える）。
【００３４】
これにより、防水機能を備えた装飾リボン構造を形成する。
【００３５】
上述の構造を通して、使用者は、本考案をさらに加工することができる。
【００３６】
例えば、靴面に粘着し、或いはハンドバッグの持ち手に形成し、さらにはベルト、バックパックの束帯等に形成する。
【００３７】
ＴＰＵ防水層３０は、防水性を備え、及び耐磨性を増強しているため、使用寿命が長く、ホコリなどがつきにくいという長所を有する。
【００３８】
図４に示す通り、ベルト体１０は異なる織り目を有する。
【００３９】
ＴＰＵ防水層３０を包んだ後は、その織り目の特性がさらに明確になる。
【００４０】
或いはベルト体１０そのものには、織り目がなく、薄膜層２０を通して、視覚効果或いは機能性を生じる。
【００４１】
例えば、図５に示す薄膜層２０は発光フィルム等を使用することで、本考案は光線がないところでも、発光効果を有する。
【００４２】
前述した本考案の実施形態は本考案を限定するものではなく、よって、本考案により保護される範囲は後述される実用新案登録請求の範囲を基準とする。
【符号の説明】
【００４３】
１０…ベルト体  １１…修飾面  ２０…薄膜層  ３０…ＴＰＵ防水層
【図１】
0003215877.tif 000003
【図２】
0003215877.tif 000004
【図３】
0003215877.tif 000005
【図４】
0003215877.tif 000006
【図５】
0003215877.tif 000007